(57)【特許請求の範囲】
【請求項１】
上方に向けて取手部を突設した排水受部を備え、該排水受部は、複数の排水用孔を形成した排水部と、該排水部へと排水を誘導する誘導部を備え、誘導部を非開口又は排水用の通水孔は形成されるが排水部よりも排水効率の低いものとしたヘアキャッチャーであって、前記排水受部の片側半部に排水部を形成すると共に他側半部に上方に向けてオーバーフロー管部を突設し、オーバーフロー管部から摘み部を突設し、該摘み部を突設したオーバーフロー管部を前記取手部とし、前記排水受部の他側半部におけるオーバーフロー管部の両側に排水部側に向かって下り傾斜する誘導部を形成して成ることを特徴とするヘアキャッチャー。
【請求項２】
前記オーバーフロー管部の両側の誘導部の面積を異ならせて成ることを特徴とする請求項１に記載のヘアキャッチャー。
【請求項３】
前記オーバーフロー管部の両側の誘導部のうち、一方の誘導部に排水用の通水孔を形成すると共に、他方の誘導部を非開口又は通水孔は形成されるが一方の誘導部よりも排水効率の低いものとして成ることを特徴とする請求項１に記載のヘアキャッチャー。
【請求項４】
前記オーバーフロー管部の両側の誘導部に排水用の通水孔を形成し、両側の誘導部の通水孔の形成位置及び又は数を異ならせて成ることを特徴とする請求項１に記載のヘアキャッチャー。
【請求項５】
前記オーバーフロー管部の両側の誘導部の傾斜角度を異ならせて成ることを特徴とする請求項１に記載のヘアキャッチャー。
【発明の詳細な説明】
【技術分野】
【０００１】
本発明は排水孔に設置されて毛髪等を捕集するヘアキャッチャーに関する。
【背景技術】
【０００２】
浴室の洗い場等に形成される排水孔には髪の毛、湯垢、体毛、金属石鹸等（以下、これら捕集物を毛髪等と記載する）を捕集するためにヘアキャッチャーが配置される（例えば特許文献１）。
【０００３】
ところで、ヘアキャッチャーは目詰まりを防止するために捕集した毛髪等を定期的に取り除く必要があるが、この手入れ作業は毛髪等が排水用孔に絡まることもあり非常に面倒である。また、この手入れは捕集した毛髪等を指で直接摘むなどして取り出す必要があり、清潔ではない。また、ヘアキャッチャーで捕集した毛髪等を簡単且つ清潔に取り除くには、例えば裏返したヘアキャッチャーの取手部を指で摘んで振り、これによりヘアキャッチャーに付着した毛髪等を振り落とすことが考えられる。しかし、従来の一般的なヘアキャッチャーは、図１０に示すように排水を受ける排水受部２７の全面に亘って均等に多数の排水用孔２８を形成しているため、排水受部２７の全面の広い範囲に毛髪等が堆積して一箇所にまとまっておらず、このため前述のようにヘアキャッチャーを振ったとしても毛髪等が落下し難く、結果、前述の清潔ではない手入れ作業をせざるえなかなった。
【特許文献１】特開２００２−１３１７６号公報
【発明の開示】
【発明が解決しようとする課題】
【０００４】
本発明は上記従来の問題点に鑑みて発明したものであって、排水に含まれる毛髪等を排水受部上にまとまって堆積させ、手入れの際に簡単且つ清潔に毛髪等を取り除くことができるヘアキャッチャーを提供することを課題とするものである。
【課題を解決するための手段】
【０００５】
上記課題を解決するために本発明に係るヘアキャッチャーは、上方に向けて取手部３６を突設した排水受部２７を備え、該排水受部２７は、複数の排水用孔２８を形成した排水部２９と、該排水部２９へと排水を誘導する誘導部３１ａ、３１ｂを備え、誘導部３１ａ、３１ｂを非開口又は排水用の通水孔４３は形成されるが排水部２９よりも排水効率の低いものとしたヘアキャッチャーであって、前記排水受部２７の片側半部に排水部２９を形成すると共に他側半部に上方に向けてオーバーフロー管部３０を突設し、オーバーフロー管部３０から摘み部３５を突設し、該摘み部３５を突設したオーバーフロー管部３０を前記取手部３６とし、前記排水受部２７の他側半部におけるオーバーフロー管部３０の両側に排水部２９側に向かって下り傾斜する誘導部３１ａ、３１ｂを形成して成ることを特徴とする。このように誘導部３１ａ、３１ｂを非開口又は排水用の通水孔４３は形成されるが排水部２９よりも排水効率の低いものとすることで、排水受部２７で受けた排水を誘導部３１ａ、３１ｂにより排水部２９側にスムーズに誘導し、排水部２９に形成した複数の排水用孔２８を介して排水を行うことができる。このため排水に含まれる毛髪等は排水用孔２８を設けた排水部２９上にまとまって堆積することとなる。
【０００６】
また、前記誘導部３１ａ、３１ｂに排水部２９側に向かって下り傾斜させることで、排水受部２７で受けた排水を誘導部３１ａ、３１ｂにより、一層スムーズに排水部２９側に誘導できる。
【０００７】
また、前記オーバーフロー管部３０の両側の誘導部３１ａ、３１ｂの面積を異ならせることが好ましい。この場合、面積の狭い誘導部３１ａ側からは排水部２９側に少量で速度の遅い排水が流れると共に、面積の広い誘導部３１ｂ側からは排水部２９側に多量で速度の速い排水が流れ、この各誘導部３１ａ、３１ｂからの排水の排水量及び排水速度の違いにより排水部２９上においては排水が旋回して旋回流が発生し、この旋回流により排水に含まれる毛髪等を効率良く排水部２９上にまとめることができる。
【０００８】
また、前記オーバーフロー管部３０の両側の誘導部３１ａ、３１ｂのうち、一方の誘導部３１ａに排水用の通水孔４３を形成すると共に、他方の誘導部３１ｂを非開口又は通水孔４３は形成されるが一方の誘導部３１ａよりも排水効率の低いものとすることが好ましい。この場合、誘導部３１ａ側からは排水部２９側に少量で速度の遅い排水が流れると共に、誘導部３１ｂ側からは排水部２９側に多量で速度の速い排水が流れ、この各誘導部３１ａ、３１ｂからの排水の排水流量及び排水速度の違いにより排水部２９上に旋回流が発生し、この旋回流により排水に含まれる毛髪等を効率良く排水部２９上にまとめることができる。
【０００９】
また、前記オーバーフロー管部３０の両側の誘導部３１ａ、３１ｂの通水孔４３の形成位置及び又は数を異ならせることが好ましい。この場合、一方の誘導部３１ａにおいては排水受部２７のオーバーフロー管部３０と反対側の外周部に沿って多量の排水が流れ、また他方の誘導部３１ｂにおいてはオーバーフロー管部３０に沿って多量の排水が流れ、この各誘導部３１ａ、３１ｂから排水部２９に流れ込む排水の流れの違いにより排水部２９上に旋回流が発生し、この旋回流により排水に含まれる毛髪等を効率良く排水部２９上にまとめることができる。
【００１０】
また、前記オーバーフロー管部３０の両側の誘導部３１ａ、３１ｂの傾斜角度を異ならせることが好ましい。この場合、傾斜が緩やかな誘導部３１ａ側からは排水部２９側に少量で速度の遅い排水が流れると共に、傾斜が急な誘導部３１ｂ側からは排水部２９側に多量で速度の速い排水が流れ、各誘導部３１ａ、３１ｂからの排水の排水流量及び排水速度の違いにより排水部２９上に旋回流が発生し、この旋回流により排水に含まれる毛髪等を効率良く排水部２９上にまとめることができる。
【発明の効果】
【００１１】
請求項１に係る発明では、排水に含まれる毛髪等を排水用孔を設けた排水部上にまとまって堆積させることができ、ヘアキャッチャーの手入れの際には排水部上の一箇所にまとまって堆積した毛髪等を取り除けば良く、簡単に毛髪等を取り除くことができる。また、排水受部からは取手部を突出しているため、手入れの際に裏返したヘアキャッチャーの取手部の摘み部を指で摘んで振ることができ、しかもこの時には排水部に一箇所にまとまって堆積した毛髪等を簡単に振り落とすことができ、毛髪等を直接指で摘むなどすることなく清潔に手入れができる。
【００１２】
また、誘導部を排水部側に向かって下り傾斜させることで、排水受部で受けた排水を誘導部により、一層スムーズに排水部側に誘導でき、毛髪等を確実に排水部上の一箇所にまとめて堆積させることができ、より簡単に手入れができる。
【００１３】
また請求項２乃至５に係る発明では、請求項１に係る発明の効果に加えて、排水部上において旋回流を発生させ、この旋回流により排水に含まれる毛髪等を効率良く排水部上にまとめ、より簡単に手入れができる。
【発明を実施するための最良の形態】
【００１４】
以下、本発明の実施形態の一例のヘアキャッチャーを添付図面に基づいて説明する。
【００１５】
まず本発明のヘアキャッチャー１を水受面となる浴室の洗い場に形成した排水孔２に配置した状態を図４に示す。図に示すように浴室の床パン３は洗い場を構成する洗い場部４と浴槽が設置される浴槽設置部５を備え、洗い場部４と浴槽設置部５の間には堰部６を立ち上げている。床パン３の浴槽設置部５側の端部には取付口７を形成してあり、取付口７に排水トラップ８を取り付けることで排水孔２を形成している。
【００１６】
排水トラップ８は、取付口７の下方に配置される容器状のトラップ本体９と、トラップ本体９に取り付けた取付用筒体１０と、トラップ本体９の内側に挿入される封水筒体１１とを備えている。
【００１７】
トラップ本体９の上面に形成した開口部１１には取付用筒体１０の下部をねじ込んで取り付けてあり、この取付用筒体１０の上端部外周から突設した上側鍔部５０とトラップ本体９の開口部１１の周縁部とでパッキン１２を介して取付口７の周縁部を挟持して、トラップ本体９を水密的に取付口７に取り付けている。取付口７の周縁部は段部１３を介して床パン３の洗い場部４の上面よりも低くなっており、これにより洗い場部４に排水カバー１４を配置するための凹所１５を形成している。
【００１８】
トラップ本体９の外周壁部の上部には排出口部１６を設けてあり、排出口部１６にはトラップ本体９内の排水を外部に排出するための排水管１７を接続している。また、トラップ本体９の外周壁部の下部には連通口部１８を設けてあり、連通口部１８には浴槽から排出された水をトラップ本体９内へと導く導入管（図示せず）を接続している。
【００１９】
取付用筒体１０の下端部内周からは下側鍔部２０を突設してあり、下側鍔部２０上には封水筒体１１の上端部に周設したフランジ部２１を載設している。封水筒体１１の下部はトラップ本体９の排出口部１６よりも下方の位置まで挿入してあり、これにより封水筒体１１の下部はトラップ本体９内の溜水２２内に浸かってトラップ本体９内に封水部２３を形成する。
【００２０】
ヘアキャッチャー１は取付用筒体１０の内側で且つ封水筒体１１の上方に配置される。ヘアキャッチャー１は例えば外周縁部を排水孔２の周縁部（取付用筒体１０の周縁部）上に載設して設置される。なお、ヘアキャッチャー１は排水孔２にねじ込んだり、排水孔２の内周面に係止することで、排水孔２に着脱自在に取り付けても良い。
【００２１】
前述の凹所１５には排水カバー１４を配置している。排水カバー１４の外周部には下方に向けて脚部２４を突設している。排水カバー１４は脚部２４を取付口７の周縁部よりも一段高くなった凹所１５の底部に載置することでヘアキャッチャー１の上方に設置され、ヘアキャッチャー１を含めて上記取付口７に取り付けた排水トラップ８の取付用筒体１０及び封水筒体１１で構成される排水孔２の上端開口を覆い隠す。
【００２２】
上記排水カバー１４の上面は床パン３の洗い場部４の上面と略面一となる。また、排水カバー１４と凹所１５の内周面との間には排水孔２側に水を流すための流水用隙間２５が形成される。流水用隙間２５は、排水カバー１４の外周縁から下方に突出して前記脚部２４を構成する外周壁部の下端部に切欠を設け、該切欠を流水用隙間２５としたり、排水カバー１４の外周部の周方向の複数箇所に脚部２４を設け、脚部２４間の隙間を流水用隙間２５とする等して形成される。なお、流水用隙間２５は排水カバー１４の四方に形成されて排水が排水カバー１４の全周から流入するように設定されるものとする。
【００２３】
上記排水構造にあっては、床パン３の洗い場部４上の水が凹所１５の内周面と排水カバー１４の外周面との間の隙間２６から前記流水用隙間２５を介して排水カバー１４の下方に流入し、次いで取付用筒体１０及び封水筒体１１で構成された排水孔２に流入してヘアキャッチャー１で毛髪やゴミが捕集され、この後、封水部２３を介して排出口部１６から外部に排出される。
【００２４】
図１及び図２に上記排水孔２に設置される本例のヘアキャッチャー１を示す。本例のヘアキャッチャー１は床パン３から流れ込んだ排水を受ける排水受部２７で主体を構成してあり、排水受部２７は厚みが薄く平面視円形の皿状をしている。図２（ａ）に示すように排水受部２７は、片側半部（図２（ａ）に示す境界線ａよりも右側の部分）を多数の排水用孔２８を形成した排水部２９とすると共に、他側半部（図２（ａ）に示す境界線ａよりも左側の部分）には上方に向けて突出する円管状のオーバーフロー管部３０を形成している。オーバーフロー管部３０はヘアキャッチャー１の排水部２９に形成した排水用孔２８が毛髪等で目詰まりした場合に排水を通過させる流路を構成する。オーバーフロー管部３０は排水受部２７の他側半部の中央に位置し、該オーバーフロー管部３０を挟んだ他側半部の両側部分は排水部２９へと排水を誘導する誘導部３１ａ、３１ｂとなり、各誘導部３１ａ、３１ｂは排水部２９に連続して排水部２９と両側の誘導部３１ａ、３１ｂとで平面視で三日月状をなす。また、本例のヘアキャッチャー１は平面視でその中心（排水受部２７の中心）とオーバーフロー管部３０の中心を通過する中心線ｂを中心にして線対称に形成してあり、各誘導部３１ａ、３１ｂの上面の面積は同じである。
【００２５】
各誘導部３１ａ、３１ｂは排水部２９側に向かって滑らかに下り傾斜し水勾配が設けられている。なお、本例の各誘導部３１ａ、３１ｂの傾斜角度は同じである。また各誘導部３１ａ、３１ｂには排水用の孔を形成しておらず、非開口となっている。このため、排水部２９と反対側からヘアキャッチャー１に流れ込んだ排水は各誘導部３１ａ、３１ｂによって排水部２９側にスムーズに誘導される。
【００２６】
排水部２９の最下部は水平な底部３２で構成してあり、該底部３２はオーバーフロー管部３０に対向する箇所に位置する。排水部２９の底部３２を除く部分は底部３２に向かって滑らかに下り傾斜し、ここにも水勾配を設けている。即ち排水受部２７には最下部に位置する排水部２９の底部３２に向かって周囲の全方向から水勾配が設けられている。また、排水部２９の底部３２と排水受部２７の周縁部を構成する環状の鍔状部３３の排水部２９側の半部とを接続する部分は各誘導部３１ａ、３１ｂの水勾配よりも急な水勾配となった急勾配部３４としてあり、排水部２９においては急勾配部３４を除いた全面に亘って多数の排水用孔２８を形成している。
【００２７】
排水受部２７の外周部から突出したオーバーフロー管部３０の上端部からは排水部２９と反対側に向かって横片状の摘み部３５を突出しており、該摘み部３５を突出したオーバーフロー管部３０で取手部３６を構成している。即ち、オーバーフロー管部３０は取手部３６の立上部３７を構成する。摘み部３５の先端部は排水受部２７よりも外側に突出し、図４のようにヘアキャッチャー１を設置した状態ではオーバーフロー管部３０が排水孔２よりも上方に突出して、摘み部３５が排水孔２の上方に位置する。従って、ヘアキャッチャー１の手入れの際には上方に突出した取手部３６の摘み部３５を指で摘んでヘアキャッチャー１を容易に排水孔２から出し入れできる。
【００２８】
ここで、上記取手部３６の立上部３７を構成するオーバーフロー管部３０の下端部の排水受部２７の中心とは反対側の外面は排水受部２７の中心から離れる程下方に位置するよう下り傾斜した流線状の流水面部３８となっている。本例では、オーバーフロー管部３０の下端部の外周面に周方向の全長に亘ってオーバーフロー管部３０の外側程下方に位置するよう下り傾斜する案内面３９を形成し、該案内面３９の排水部２９と反対側に面する部分を流水面部３８としている。なお、本例の案内面３９は、流水面部３８を含めて、オーバーフロー管部３０の外側程下方に位置するよう下り傾斜した弧状湾曲面となって、その下端部は排水受部２７の周縁部を構成する鍔状部３３の上面に滑らかに連続しているが、案内面３９は直線状の傾斜面であっても良い。
【００２９】
また、案内面３９は、前記流水面部３８を構成する部分に加えて、平面視で流水面部３８と排水部２９を通過する直線ｃ（図２（ａ）参照）の両側に位置して流水面部３８に連続するガイド面部４０を備えている。このオーバーフロー管部３０の各誘導部３１ａ、３１ｂ側に位置する各ガイド面部４０には排水部２９側程下り傾斜する水勾配を設けている。なお、本例の案内面３９は、流水面部３８と、両側のガイド面部４０（図３参照）と、排水部２９側に面して両ガイド面部４０を接続する接続部分４１（図３参照）とで構成してあり、オーバーフロー管部３０の全周に亘って形成したが、オーバーフロー管部３０の下端部の排水部２９側に面する部分、即ち接続部分４１に対応する部分には案内面３９を形成しなくても良く、即ち、案内面３９は少なくとも流水面部３８と両側のガイド面部４０を備えたものであれば良い。
【００３０】
上記ヘアキャッチャー１は例えば排水受部２７の外周縁を構成する環状の鍔状部３３から突出した係合突部４２を排水孔２を構成する取付用筒体１０の内周面に形成した係合溝（図示せず）に係合することで排水孔２に着脱自在に取付けられる。なお、ヘアキャッチャー１の設置状態における向きは限定されるものではなく、偏心位置にあるオーバーフロー管部３０が浴槽側や洗い場側に配置されるように設置したり、また浴槽側を前方、洗い場側を後方とした場合に、ヘアキャッチャー１のオーバーフロー管部３０が左右方向の片側に配置されるように設置しても良く、また、ヘアキャッチャー１は排水孔２の周縁部上に単に載置するだけであっても良い。
【００３１】
上記のように設置されたヘアキャッチャー１には前述のように床パン３からの排水が通過するが、この際、排水は排水カバー１４の流水用隙間２５及び排水孔２の周縁部上を経てヘアキャッチャー１の外側から排水受部２７に流入し、この後、排水部２９に形成した多数の排水用孔２８から下流側に排出される。
【００３２】
ここで、本例のヘアキャッチャー１は、取手部３６の立上部３７を構成するオーバーフロー管部３０を排水受部２７の外周部において排水受部２７の外周縁よりも内側に控えた偏心位置から上方に向けて突出しているので、図５の比較例のように排水受部２７の外周縁から取手部３６の立上部３７を突出したものと比較して、立上部３７（オーバーフロー管部３０）は排水部２９により近い位置に配置されて立上部３７近傍には多量の排水が流れることとなり、立上部３７には毛髪等が絡み難くなっている。また、例えば図３の矢印に示すように排水部２９と反対側の外側からヘアキャッチャー１に流れてきた排水がオーバーフロー管部３０の流水面部３８に至ることがあるが、前述したように流水面部３８は排水受部２７の中心から離れる程下方に位置するよう下り傾斜して排水の流れに対して非垂直となっているので、流水面部３８に至った排水をスムーズに排水部２９側に案内でき、また、この流水面部３８の両端に接続したガイド面部４０により、流水面部３８からの排水をスムーズに排水部２９側に案内でき、この点でも立上部３７には毛髪等が絡み難くなっている。
【００３３】
また、ヘアキャッチャー１の排水受部２７で受けられた排水は各誘導部３１ａ、３１ｂにより排水部２９側にスムーズに誘導され、この排水部２９に形成した多数の排水用孔２８を介して排水がなされる。このため毛髪等は排水用孔２８を設けた排水部２９上にまとまって堆積することとなり、各誘導部３１ａ、３１ｂには毛髪等がたまり難くなる。従って、ヘアキャッチャー１の手入れの際には排水部２９上の一箇所にまとまって堆積した毛髪等を取り除けば良く、簡単に毛髪等を取り除くことができる。また、排水受部２７からは取手部３６を突出しているため、手入れの際に裏返したヘアキャッチャー１の取手部３６の摘み部３５を指で摘んで振ることができ、この時には排水部２９に一箇所にかたまりとなって堆積した毛髪等を簡単に振り落とすことができ、毛髪等を直接指で摘むなどすることなく簡単且つ清潔に手入れができる。さらにこの取手部３６を構成するオーバーフロー管部３０は最も毛髪等が溜まる排水部２９の底部３２から離れたヘアキャッチャー１の偏心位置に設けてあるため、前述のようにヘアキャッチャー１を振って毛髪を振り落とす場合には排水部２９の底部３２にまとめられた毛髪等に遠心力を加えて、一層容易に毛髪等を振り落とすことができる。
【００３４】
次に他例のヘアキャッチャー１を図６に示す。なお、以下の説明では図１及び図２に示す一例のヘアキャッチャー１と同一の構成については同一の番号を付与し、重複する説明は省略する。
【００３５】
図６のヘアキャッチャー１の各誘導部３１ａ、３１ｂには複数の通水孔４３を形成してあり、各誘導部３１ａ、３１ｂの通水孔４３からも排水を行えるようにしてある。また各誘導部３１ａ、３１ｂに形成した通水孔４３は排水部２９に形成した排水用孔２８よりも小径であり、また単位面積当たりの数も少なく、通水孔４３の開口面積を合計した各誘導部３１ａ、３１ｂにおける開口面積は排水用孔２８の開口面積を合計した排水部２９における開口面積よりも小さく、これにより各誘導部３１ａ、３１ｂにおける排水効率は排水部２９の排水効率よりも低くなっている。なお、両側の誘導部３１ａ、３１ｂに形成した各通水孔４３の直径は同じである。
【００３６】
本例のように各誘導部３１ａ、３１ｂにおける排水効率を排水部２９の排水効率よりも低くして、各誘導部３１ａ、３１ｂにおける排水量を排水部２９における排水量よりも少なくすることで、ヘアキャッチャー１の排水受部２７で受けられた排水を各誘導部３１ａ、３１ｂにより排水部２９側にスムーズに誘導でき、毛髪等を排水用孔２８を設けた排水部２９上にまとまって堆積させることができる。
【００３７】
次に更に他例のヘアキャッチャー１を図７に示す。なお、以下の説明では図１及び図２に示す一例のヘアキャッチャー１と同一の構成については同一の番号を付与し、重複する説明は省略する。図７に示すヘアキャッチャー１は中心線ｂを中心に線対称に形成しておらず、各誘導部３１ａ、３１ｂの上面の面積を異ならせて非線対称としている。
【００３８】
このように各誘導部３１ａ、３１ｂの面積を異ならせることで、図７に示すように面積の狭い誘導部３１ａ側からは排水部２９側に少量で速度の遅い排水が流れると共に、面積の広い誘導部３１ｂ側からは排水部２９側に多量で速度の速い排水が流れ、この各誘導部３１ａ、３１ｂからの排水の排水量及び排水速度の違いにより排水部２９上においては排水が旋回して旋回流が発生しこの旋回流により排水に含まれる毛髪等を効率良く排水部２９上にまとめることができる。なお、本例では図１に示す一例のヘアキャッチャー１に適用した例を示したが、図６の他例に適用しても良い。
【００３９】
次に更に他例のヘアキャッチャー１を図８に示す。なお、以下の説明では図１及び図２に示す一例のヘアキャッチャー１と同一の構成については同一の番号を付与し、重複する説明は省略する。
【００４０】
図８に示すヘアキャッチャー１は、一方の誘導部３１ａには排水部２９に形成した排水用孔２８よりも小径の通水孔４３を複数形成し、該誘導部３１ａの通水孔４３からも排水を行えるようにしてある。また、他方の誘導部３１ｂは通水孔４３を形成せず非開口としている。
【００４１】
このように一方の誘導部３１ａにのみ通水孔４３を形成することで、図８に示すように通水孔４３を形成した誘導部３１ａ側からは排水部２９側に少量で速度の遅い排水が流れると共に、非開口の誘導部３１ｂ側からは排水部２９側に多量で速度の速い排水が流れ、この各誘導部３１ａ、３１ｂからの排水の排水流量及び排水速度の違いにより排水部２９上に旋回流を発生させることができる。
【００４２】
なお、図８では誘導部３１ｂを非開口としたが、誘導部３１ｂにおける排水効率がもう一方の誘導部３１ａにおける排水効率よりも低いものであれば、両方の誘導部３１ａ、３１ｂに通水孔４３を形成しても良い。即ち、この場合は、誘導部３１ｂに形成した通水孔４３を誘導部３１ａに形成した通水孔４３よりも小径としたり、また単位面積当たりの数を少なくしたりして、各誘導部３１ａ、３１ｂにおける排水効率を異ならせる。このように各誘導部３１ａ、３１ｂにおける排水効率を異ならせることでも、上記同様の旋回流を発生させることができる。また、本例では図１に示す一例のヘアキャッチャー１に適用した例を示したが、図７の更に他例に適用しても良く、この場合は、少量しか排水が流れない面積の小さい誘導部３１ａの排水効率を大きくすると共に、多量の排水が流れる面積の大きい誘導部３１ｂを非開口又は排水効率を低くするものである。
【００４３】
次に更に他例のヘアキャッチャー１を図９に示す。なお、以下の説明では図１及び図２に示す一例のヘアキャッチャー１と同一の構成については同一の番号を付与し、重複する説明は省略する。
【００４４】
図９に示すヘアキャッチャー１は、両側の誘導部３１ａ、３ｂに排水部２９に形成した排水用孔２８よりも小径の通水孔４３を複数形成している。なお、両側の誘導部３１ａ、３１ｂに形成した各通水孔４３の直径は同じである。また、両側の誘導部３１ａ、３１ｂの通水孔４３の形成位置及び数を異ならせ、ヘアキャッチャー１を中心線ｂを中心にした線対称とはせず、非線対称とする。具体的には、一方の誘導部３１ａにおいてはオーバーフロー管部３０側部分に複数の通水孔４３を形成し、且つオーバーフロー管部３０と反対側の部分には通水孔４３を形成しない。また、他方の誘導部３１ｂにおいては、オーバーフロー管部３０側部分には通水孔４３を形成せず、且つオーバーフロー管部３０と反対側の部分に多数の通水孔４３を形成している。また、他方の誘導部３１ｂに形成した通水孔４３の数を一方の誘導部３１ａに形成した通水孔４３の数よりも多くする。
【００４５】
このように両側の誘導部３１ａ、３１ｂの通水孔４３の形成位置及び数を異ならせることで、図９に示すように一方の誘導部３１ａにおいては排水受部２７のオーバーフロー管部３０と反対側の外周部に沿って多量の排水が流れ、また他方の誘導部３１ｂにおいてはオーバーフロー管部３０に沿って多量の排水が流れ、この各誘導部３１ａ、３１ｂから排水部２９に流れ込む排水の流れの違いにより排水部２９上に旋回流を発生させることができる。本例では両側の誘導部３１ａ、３１ｂの通水孔４３の形成位置及び数を異ならせたが、通水孔４３の形成位置のみを異ならせても良いし、数のみを異ならせても良い。
【００４６】
次に更に他例のヘアキャッチャー１について説明する。以下の説明では図８示す更に他例のヘアキャッチャー１と同一の構成については同一の番号を付与し、重複する説明は省略する。
【００４７】
図示は省略するが、本例のヘアキャッチャー１は図８に示す両側の誘導部３１ａ、３１ｂのうち、通水孔４３を形成した誘導部３１ａの傾斜角度（水勾配）を小さく、且つ非開口の誘導部３１ｂの傾斜角度を大きくしている。
【００４８】
このように両側の誘導部３１ａ、３１ｂの傾斜角度を異ならせることで、傾斜が緩やかな誘導部３１ａ側からは排水部２９側に少量で速度の遅い排水が流れると共に、傾斜が急な誘導部３１ｂ側からは排水部２９側に多量で速度の速い排水が流れ、各誘導部３１ａ、３１ｂからの排水の排水流量及び排水速度の違いにより排水部２９上に旋回流を発生させることができる。
【００４９】
なお、本例では図８に示す更に他例のヘアキャッチャー１に適用した例を示したが、図１、図６、図７の各例に適用しても良く、特に図６、図７に適用する場合は、上記と同様に多量の排水が流れる誘導部３１ａの傾斜角度を少量の排水が流れる誘導部３１ｂの傾斜角度よりも大きくして、より勢いのある旋回流が発生させるものである。
【００５０】
また、上記排水受部２７上に突設したオーバーフロー管部３０は排水受部２７の外周縁上に設けてあっても良く、また、オーバーフロー管部３０の排水受部２７とのコーナー部である下端部の外周面には流水面部３８を含めて案内面３９を設けなくても良く、鉛直方向と平行な面であっても良い。
【図面の簡単な説明】
【００５１】
【図１】本発明の実施の形態の一例のヘアキャッチャーを示す斜視図である。
【図２】同上のヘアキャッチャーを示し、（ａ）は平面図、（ｂ）は側面図、（ｃ）は背面図である。
【図３】同上のヘアキャッチャーに排水が流れる様子を示す説明図である。
【図４】同上のヘアキャッチャーを排水孔に設置した状態を示す断面図である。
【図５】参考例のヘアキャッチャーの斜視図である。
【図６】他例のヘアキャッチャーの平面図である。
【図７】更に他例のヘアキャッチャーの平面図である。
【図８】更に他例のヘアキャッチャーの平面図である。
【図９】更に他例のヘアキャッチャーの平面図である。
【図１０】従来のヘアキャッチャーの平面図である。
【符号の説明】
【００５２】
１  ヘアキャッチャー
２７  排水受部
２８  排水用孔
２９  排水部
３１ａ、３１ｂ  誘導部
３６  取手部
４３  通水孔
【図１】
0004840267.tif 000002
【図２】
0004840267.tif 000003
【図３】
0004840267.tif 000004
【図４】
0004840267.tif 000005
【図５】
0004840267.tif 000006
【図６】
0004840267.tif 000007
【図７】
0004840267.tif 000008
【図８】
0004840267.tif 000009
【図９】
0004840267.tif 000010
【図１０】
0004840267.tif 000011